(57)【要約】【課題】  充分な強度を有する組立式ハウスを提供する。  【解決手段】  組立式ハウス１は、段ボール又は厚紙からなる柱部材１０及び壁部材５０，６０，７０，８０を備えている。壁部材５０の側端部５０ａは、爪部５４ａが孔部１８ａに挿入されることにより、柱部材１０に固定される。壁部材６０の側端部６０ａは、壁部材５０の側端部５０ｂに固定される。壁部材７０の側端部７０ａは、壁部材６０の側端部６０ｂに固定される。壁部材８０の側端部８０ａ及び側端部８０ｂは、それぞれ、壁部材７０の側端部７０ｂ及び壁部材５０の側端部５０ａに固定される。柱部材１０は、折込線Ｌ１１〜Ｌ１４に沿って折り込まれることにより、四角柱状になるように構成されている。爪部５４ａにおける孔部１８ａから突出する部分は、柱部材１０の内部に収容される。【選択図】  図１
2015074960.tif 000002
【特許請求の範囲】
【請求項１】
段ボール又は厚紙からなる第１の柱部材と、
段ボール又は厚紙からなる第１乃至第４の壁部材と、を備え、
前記第１の柱部材は、複数の折込線を有し、当該折込線に沿って折り込まれることによりｎ角柱（ｎは３以上の整数）状になるように構成されており、
前記第１の壁部材は、第１の側端部に形成される第１の爪部が前記第１の柱部材に形成される第１の孔部に挿入されることにより、当該第１の柱部材に固定されるように構成されており、
前記第２の壁部材は、第１の側端部が前記第１の壁部材の第２の側端部に固定されるように構成されており、
前記第３の壁部材は、第１の側端部が前記第２の壁部材の第２の側端部に固定されるように構成されており、
前記第４の壁部材は、第１の側端部が前記第３の壁部材の第２の側端部に固定されるとともに、第２の側端部が前記第１の壁部材の前記第１の側端部に固定されるように構成されており、
前記第１の壁部材の前記第１の爪部における、前記第１の柱部材の前記第１の孔部から突出する部分は、当該第１の柱部材の内部に収容されることを特徴とする組立式ハウス。
【請求項２】
請求項１に記載の組立式ハウスにおいて、
前記第４の壁部材は、前記第２の側端部に形成される第２の爪部が前記第１の柱部材に形成される第２の孔部に挿入されることにより、当該第１の柱部材に固定されるように構成されており、
前記第４の壁部材の前記第２の爪部における、前記第１の柱部材の前記第２の孔部から突出する部分は、当該第１の柱部材の内部に収容される組立式ハウス。
【請求項３】
請求項１又は２に記載の組立式ハウスにおいて、
前記第１の柱部材は、当該第１の柱部材に形成される爪部が当該第１の柱部材に形成される第３の孔部に挿入されることにより、前記ｎ角柱状を維持するように構成されており、
前記第１の柱部材の前記爪部における、当該第１の柱部材の前記第３の孔部から突出する部分は、当該第１の柱部材の内部に収容される組立式ハウス。
【請求項４】
請求項１乃至３の何れかに記載の組立式ハウスにおいて、
段ボール又は厚紙からなる第２の柱部材を備え、
前記第２の柱部材は、複数の折込線を有し、当該折込線に沿って折り込まれることによりｎ角柱状になるように構成されており、
前記第１の壁部材は、前記第２の側端部に形成される第２の爪部が前記第２の柱部材に形成される第１の孔部に挿入されることにより、当該第２の柱部材に固定されるように構成されており、
前記第１の壁部材の前記第２の爪部における、前記第２の柱部材の前記第１の孔部から突出する部分は、当該第２の柱部材の内部に収容される組立式ハウス。
【請求項５】
請求項４に記載の組立式ハウスにおいて、
前記第２の壁部材は、前記第１の側端部に形成される第１の爪部が前記第２の柱部材に形成される第２の孔部に挿入されることにより、当該第２の柱部材に固定されるように構成されており、
前記第２の壁部材の前記第１の爪部における、前記第２の柱部材の前記第２の孔部から突出する部分は、当該第２の柱部材の内部に収容される組立式ハウス。
【請求項６】
請求項４又は５に記載の組立式ハウスにおいて、
前記第２の柱部材は、当該第２の柱部材に形成される爪部が当該第２の柱部材に形成される第３の孔部に挿入されることにより、前記ｎ角柱状を維持するように構成されており、
前記第２の柱部材の前記爪部における、当該第２の柱部材の前記第３の孔部から突出する部分は、当該第２の柱部材の内部に収容される組立式ハウス。
【請求項７】
請求項１乃至６の何れかに記載の組立式ハウスにおいて、
段ボール又は厚紙からなる第３の柱部材を備え、
前記第３の柱部材は、複数の折込線を有し、当該折込線に沿って折り込まれることによりｎ角柱状になるように構成されており、
前記第３の壁部材は、前記第１の側端部に形成される第１の爪部が前記第３の柱部材に形成される第１の孔部に挿入されることにより、当該第３の柱部材に固定されるように構成されており、
前記第３の壁部材の前記第１の爪部における、前記第３の柱部材の前記第１の孔部から突出する部分は、当該第３の柱部材の内部に収容される組立式ハウス。
【請求項８】
請求項７に記載の組立式ハウスにおいて、
前記第２の壁部材は、前記第２の側端部に形成される第２の爪部が前記第３の柱部材に形成される第２の孔部に挿入されることにより、当該第３の柱部材に固定されるように構成されており、
前記第２の壁部材の前記第２の爪部における、前記第３の柱部材の前記第２の孔部から突出する部分は、当該第３の柱部材の内部に収容される組立式ハウス。
【請求項９】
請求項７又は８に記載の組立式ハウスにおいて、
前記第３の柱部材は、当該第３の柱部材に形成される爪部が当該第３の柱部材に形成される第３の孔部に挿入されることにより、前記ｎ角柱状を維持するように構成されており、
前記第３の柱部材の前記爪部における、当該第３の柱部材の前記第３の孔部から突出する部分は、当該第３の柱部材の内部に収容される組立式ハウス。
【請求項１０】
請求項１乃至９の何れかに記載の組立式ハウスにおいて、
段ボール又は厚紙からなる第４の柱部材を備え、
前記第４の柱部材は、複数の折込線を有し、当該折込線に沿って折り込まれることによりｎ角柱状になるように構成されており、
前記第３の壁部材は、前記第２の側端部に形成される第２の爪部が前記第４の柱部材に形成される第１の孔部に挿入されることにより、当該第４の柱部材に固定されるように構成されており、
前記第３の壁部材の前記第２の爪部における、前記第４の柱部材の前記第１の孔部から突出する部分は、当該第４の柱部材の内部に収容されることを特徴とする組立式ハウス。
【請求項１１】
請求項１０に記載の組立式ハウスにおいて、
前記第４の壁部材は、前記第１の側端部に形成される第１の爪部が前記第４の柱部材に形成される第２の孔部に挿入されることにより、当該第４の柱部材に固定されるように構成されており、
前記第４の壁部材の前記第１の爪部における、前記第４の柱部材の前記第２の孔部から突出する部分は、当該第４の柱部材の内部に収容される組立式ハウス。
【請求項１２】
請求項１０又は１１に記載の組立式ハウスにおいて、
前記第４の柱部材は、当該第４の柱部材に形成される爪部が当該第４の柱部材に形成される第３の孔部に挿入されることにより、前記ｎ角柱状を維持するように構成されており、
前記第４の柱部材の前記爪部における、当該第４の柱部材の前記第３の孔部から突出する部分は、当該第４の柱部材の内部に収容される組立式ハウス。
【請求項１３】
請求項１乃至１２の何れかに記載の組立式ハウスにおいて、
前記第２の壁部材は、互いに連結可能な第１及び第２の副壁部材によって構成されている組立式ハウス。
【請求項１４】
請求項１３に記載の組立式ハウスにおいて、
段ボール又は厚紙からなる第５の柱部材を備え、
前記第５の柱部材は、複数の折込線を有し、当該折込線に沿って折り込まれることによりｎ角柱状になるように構成されており、
前記第１の副壁部材は、当該第１の副壁部材に形成される爪部が前記第５の柱部材に形成される第１の孔部に挿入されることにより、当該第５の柱部材に固定されるように構成されており、
前記第１の副壁部材の前記爪部における、前記第５の柱部材の前記第１の孔部から突出する部分は、当該第５の柱部材の内部に収容される組立式ハウス。
【請求項１５】
請求項１４に記載の組立式ハウスにおいて、
前記第２の副壁部材は、当該第２の副壁部材に形成される爪部が前記第５の柱部材に形成される第２の孔部に挿入されることにより、当該第５の柱部材に固定されるように構成されており、
前記第２の副壁部材の前記爪部における、前記第５の柱部材の前記第２の孔部から突出する部分は、当該第５の柱部材の内部に収容される組立式ハウス。
【請求項１６】
請求項１４又は１５に記載の組立式ハウスにおいて、
前記第５の柱部材は、当該第５の柱部材に形成される爪部が当該第５の柱部材に形成される第３の孔部に挿入されることにより、前記ｎ角柱状を維持するように構成されており、
前記第５の柱部材の前記爪部における、当該第５の柱部材の前記第３の孔部から突出する部分は、当該第５の柱部材の内部に収容される組立式ハウス。
【請求項１７】
請求項１乃至１６の何れかに記載の組立式ハウスにおいて、
前記第４の壁部材は、互いに連結可能な第３及び第４の副壁部材によって構成されている組立式ハウス。
【請求項１８】
請求項１７に記載の組立式ハウスにおいて、
段ボール又は厚紙からなる第６の柱部材を備え、
前記第６の柱部材は、複数の折込線を有し、当該折込線に沿って折り込まれることによりｎ角柱状になるように構成されており、
前記第３の副壁部材は、当該第３の副壁部材に形成される爪部が前記第６の柱部材に形成される第１の孔部に挿入されることにより、当該第６の柱部材に固定されるように構成されており、
前記第３の副壁部材の前記爪部における、前記第６の柱部材の前記第１の孔部から突出する部分は、当該第６の柱部材の内部に収容される組立式ハウス。
【請求項１９】
請求項１８に記載の組立式ハウスにおいて、
前記第４の副壁部材は、当該第４の副壁部材に形成される爪部が前記第６の柱部材に形成される第２の孔部に挿入されることにより、当該第６の柱部材に固定されるように構成されており、
前記第４の副壁部材の前記爪部における、前記第６の柱部材の前記第２の孔部から突出する部分は、当該第６の柱部材の内部に収容される組立式ハウス。
【請求項２０】
請求項１８又は１９に記載の組立式ハウスにおいて、
前記第６の柱部材は、当該第６の柱部材に形成される爪部が当該第６の柱部材に形成される第３の孔部に挿入されることにより、前記ｎ角柱状を維持するように構成されており、
前記第６の柱部材の前記爪部における、当該第６の柱部材の前記第３の孔部から突出する部分は、当該第６の柱部材の内部に収容される組立式ハウス。
【請求項２１】
請求項１乃至２０の何れかに記載の組立式ハウスにおいて、
段ボール又は厚紙からなり、前記第１乃至第４の壁部材によって囲まれる空間を上方から覆う屋根部材を備える組立式ハウス。
【請求項２２】
請求項２１に記載の組立式ハウスにおいて、
前記屋根部材は、第１の側端部が断面Ｊ字状になるように構成されている組立式ハウス。
【請求項２３】
請求項２２に記載の組立式ハウスにおいて、
前記屋根部材は、断面Ｊ字状の前記第１の側端部が、前記第１の柱部材と前記第４の柱部材との間に位置するように構成されている組立式ハウス。
【請求項２４】
請求項２１乃至２３の何れかに記載の組立式ハウスにおいて、
前記屋根部材は、第２の側端部が断面Ｊ字状になるように構成されている組立式ハウス。
【請求項２５】
請求項２４に記載の組立式ハウスにおいて、
前記屋根部材は、断面Ｊ字状の前記第２の側端部が、前記第２の柱部材と前記第３の柱部材との間に位置するように構成されている組立式ハウス。
【請求項２６】
請求項１乃至２５の何れかに記載の組立式ハウスにおいて、
前記第１の壁部材は、前記第１の側端部が前記第１の柱部材に固定されており、
前記第２の壁部材は、前記第１の側端部が前記第１の壁部材の前記第２の側端部に固定されており、
前記第３の壁部材は、前記第１の側端部が前記第２の壁部材の前記第２の側端部に固定されており、
前記第４の壁部材は、前記第１の側端部が前記第３の壁部材の前記第２の側端部に固定されるとともに、前記第２の側端部が前記第１の壁部材の前記第１の側端部に固定されており、
前記第１乃至第４の壁部材によって囲まれた空間を有する組立式ハウス。
【発明の詳細な説明】
【技術分野】
【０００１】
本発明は、紙製の組立式ハウスに関する。
【背景技術】
【０００２】
地震等の災害時には、多数の被災者が１つの避難所において共同生活を余儀なくされることがある。そのような避難所においては、被災者の心理的負担を少しでも和らげるべく、各被災者のプライベート空間を確保することが求められる。かかるプライベート空間を確保する手段としては、例えば特許文献１に記載されたものがある。同文献には、１枚の段ボールを折り曲げることにより、各被災者のスペースを仕切るための間仕切りを作ることが記載されている。
【先行技術文献】
【特許文献】
【０００３】
【特許文献１】特開２０１０−２５５２３８号公報
【発明の概要】
【発明が解決しようとする課題】
【０００４】
特許文献１の間仕切りによれば、最低限のプライベート空間を確保し、それにより被災者の心理的負担をある程度は和らげることができる。しかしながら、この間仕切りは、段ボール製であるため、強度の面で不安が残る。かかる強度面の不安は、被災者の心理的負担の増大につながってしまう。
【０００５】
本発明は、上記課題に鑑みてなされたものであり、充分な強度を有する組立式ハウスを提供することを目的とする。
【課題を解決するための手段】
【０００６】
本発明による組立式ハウスは、段ボール又は厚紙からなる第１の柱部材と、段ボール又は厚紙からなる第１乃至第４の壁部材と、を備え、上記第１の柱部材は、複数の折込線を有し、当該折込線に沿って折り込まれることによりｎ角柱（ｎは３以上の整数）状になるように構成されており、上記第１の壁部材は、第１の側端部に形成される第１の爪部が上記第１の柱部材に形成される第１の孔部に挿入されることにより、当該第１の柱部材に固定されるように構成されており、上記第２の壁部材は、第１の側端部が上記第１の壁部材の第２の側端部に固定されるように構成されており、上記第３の壁部材は、第１の側端部が上記第２の壁部材の第２の側端部に固定されるように構成されており、上記第４の壁部材は、第１の側端部が上記第３の壁部材の第２の側端部に固定されるとともに、第２の側端部が上記第１の壁部材の上記第１の側端部に固定されるように構成されており、上記第１の壁部材の上記第１の爪部における、上記第１の柱部材の上記第１の孔部から突出する部分は、当該第１の柱部材の内部に収容されることを特徴とする。
【０００７】
この組立式ハウスにおいては、第２の壁部材の第１の側端部を第１の壁部材の第２の側端部に固定し、第３の壁部材の第１の側端部を第２の壁部材の第２の側端部に固定し、第４の壁部材の第１の側端部を第３の壁部材の第２の側端部に固定するとともに、第４の壁部材の第２の側端部を第１の壁部材の第１の側端部に固定することにより、第１乃至第４の壁部材によって囲まれた空間が生成される。これにより、充分なプライベート空間を確保することができる。さらに、第１の壁部材の第１の側端部が固定される第１の柱部材を折込線に沿って折り込むことにより、当該第１の柱部材をｎ角柱状にすることができる。かかる柱部材は、支柱として機能し、組立後の組立式ハウスの強度を高める。
【発明の効果】
【０００８】
本発明によれば、充分な強度を有する組立式ハウスが実現される。
【図面の簡単な説明】
【０００９】
【図１】本発明による組立式ハウスの第１実施形態を示す斜視図である。
【図２】図１の組立式ハウスを示す平面図である。
【図３】図１の柱部材１０を示す平面図である。
【図４】図１の柱部材２０を示す平面図である。
【図５】図１の柱部材３０を示す平面図である。
【図６】図１の柱部材４０を示す平面図である。
【図７】図１の壁部材５０を示す平面図である。
【図８】図１の壁部材６０を示す平面図である。
【図９】図１の壁部材７０を示す平面図である。
【図１０】図１の壁部材８０を示す平面図である。
【図１１】図１の組立式ハウスにおいて屋根部材９０が取り付けられた状態を示す斜視図である。
【図１２】図１１のXII−XII線に沿った断面図である。
【図１３】図１１の屋根部材９０を示す平面図である。
【図１４】本発明による組立式ハウスの第２実施形態を示す斜視図である。
【図１５】図１４の組立式ハウスを示す平面図である。
【図１６】図１４の柱部材２００を示す平面図である。
【図１７】図１４の柱部材４００を示す平面図である。
【図１８】図１４の壁部材６１０を示す平面図である。
【図１９】図１４の壁部材６２０を示す平面図である。
【図２０】図１４の壁部材８１０を示す平面図である。
【図２１】図１４の壁部材８２０を示す平面図である。
【図２２】本発明の固定部の構造に係る変形例を説明するための図である。
【図２３】変形例に係る柱部材を示す斜視図である。
【図２４】図２３の柱部材１００を示す平面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による組立式ハウスの第１実施形態を示す斜視図である。また、図２は、図１の組立式ハウスを示す平面図である。組立式ハウス１は、柱部材１０（第１の柱部材）、柱部材２０（第２の柱部材）、柱部材３０（第３の柱部材）、柱部材４０（第４の柱部材）、壁部材５０（第１の壁部材）、壁部材６０（第２の壁部材）、壁部材７０（第３の壁部材）、及び壁部材８０（第４の壁部材）を備えている。
【００１２】
組立式ハウス１は、これらの壁部材５０，６０，７０，８０によって囲まれた空間Ｓ１を有する。空間Ｓ１の大きさは、例えば、幅（壁部材６０と壁部材８０との間隔）が約０．９ｍ、奥行（壁部材５０と壁部材７０との間隔）が約１ｍ、高さが約１．２ｍ（壁部材６０，８０の高さ）〜約１．５ｍ（壁部材５０，７０の中央部の高さ）である。かかる組立式ハウス１は、例えば、避難所において被災者が用を足す際の囲いとして、あるいは、子供の遊戯スペースとして用いることができる。各柱部材１０，２０，３０，４０、及び各壁部材５０，６０，７０，８０は、段ボール又は厚紙からなる。
【００１３】
壁部材６０は、側端部６０ａ（第１の側端部）が壁部材５０の側端部５０ｂ（第２の側端部）に固定されるように構成されている。壁部材７０は、側端部７０ａ（第１の側端部）が壁部材６０の側端部６０ｂ（第２の側端部）に固定されるように構成されている。また、壁部材８０は、側端部８０ａ（第１の側端部）が壁部材７０の側端部７０ｂ（第２の側端部）に固定されるとともに、側端部８０ｂ（第２の側端部）が壁部材５０の側端部５０ａ（第１の側端部）に固定されるように構成されている。
【００１４】
壁部材５０の側端部５０ａ及び壁部材８０の側端部８０ｂには、柱部材１０が固定される。壁部材５０の側端部５０ｂ及び壁部材６０の側端部６０ａには、柱部材２０が固定される。壁部材６０の側端部６０ｂ及び壁部材７０の側端部７０ａには、柱部材３０が固定される。また、壁部材７０の側端部７０ｂ及び壁部材８０の側端部８０ａには、柱部材４０が固定される。
【００１５】
図３は、柱部材１０を示す平面図である。柱部材１０は、１枚の段ボール又は厚紙からなる。柱部材１０には、４本の折込線Ｌ１１〜Ｌ１４が形成されている。柱部材１０は、これらの折込線Ｌ１１〜Ｌ１４に沿って折り込まれることにより、四角柱状になるように構成されている。具体的には、各折込線Ｌ１１〜Ｌ１４に沿って略直角に山折りすることにより、四角柱状の柱部材１０が形成される（図１及び図２参照）。
【００１６】
さらに、柱部材１０には、爪部１４、並びに孔部１８ａ（第１の孔部）、孔部１８ｂ（第２の孔部）及び孔部１８ｃ（第３の孔部）が形成されている。爪部１４は、柱部材１０の外周から突き出るように形成されている。本実施形態においては、５つの爪部１４が設けられている。孔部１８ａ，１８ｂは、折込線Ｌ１２と折込線Ｌ１３との間に位置する。本実施形態においては、孔部１８ａ，１８ｂが５つずつ設けられている。孔部１８ｃは、折込線Ｌ１４に沿って形成されている。本実施形態においては、５つの孔部１８ｃが設けられている。また、柱部材１０の上端部から突き出るように、爪部１９が形成されている。詳細には、爪部１９は、折込線Ｌ１２と折込線Ｌ１３との間の領域の上端部に形成されている。
【００１７】
折込線Ｌ１１と柱部材１０の外周との間隔ｄ１１は、折込線Ｌ１２と折込線Ｌ１３との間隔に略等しい。ただし、間隔ｄ１１は、折込線Ｌ１２と折込線Ｌ１３との間隔よりも若干小さいことが好ましい。また、折込線Ｌ１１と折込線Ｌ１２との間隔は、折込線Ｌ１３と折込線Ｌ１４との間隔に略等しい。
【００１８】
組立時、折込線Ｌ１５に沿って略直角に山折りした状態で、爪部１４は、孔部１８ｃに挿入される。それにより、柱部材１０の四角柱形状が維持される。爪部１４における孔部１８ｃから突出する部分は、柱部材１０の内部に収容される（図２参照）。孔部１８ａには、後述する壁部材５０の爪部５４ａが挿入される。また、孔部１８ｂには、後述する壁部材８０の爪部８５ｂが挿入される。
【００１９】
図４は、柱部材２０を示す平面図である。柱部材２０は、１枚の段ボール又は厚紙からなる。柱部材２０は、柱部材１０と左右対称の構造をしている。すなわち、柱部材２０には、４本の折込線Ｌ２１〜Ｌ２４が形成されている。柱部材２０は、これらの折込線Ｌ２１〜Ｌ２４に沿って折り込まれることにより、四角柱状になるように構成されている。具体的には、各折込線Ｌ２１〜Ｌ２４に沿って略直角に山折りすることにより、四角柱状の柱部材２０が形成される（図１及び図２参照）。
【００２０】
さらに、柱部材２０には、爪部２４、並びに孔部２８ａ（第１の孔部）、孔部２８ｂ（第２の孔部）及び孔部２８ｃ（第３の孔部）が形成されている。爪部２４は、柱部材２０の外周から突き出るように形成されている。本実施形態においては、５つの爪部２４が設けられている。孔部２８ａ，２８ｂは、折込線Ｌ２２と折込線Ｌ２３との間に位置する。本実施形態においては、孔部２８ａ，２８ｂが５つずつ設けられている。孔部２８ｃは、折込線Ｌ２４に沿って形成されている。本実施形態においては、５つの孔部２８ｃが設けられている。また、柱部材２０の上端部から突き出るように、爪部２９が形成されている。詳細には、爪部２９は、折込線Ｌ２２と折込線Ｌ２３との間の領域の上端部に形成されている。
【００２１】
折込線Ｌ２１と柱部材２０の外周との間隔ｄ２１は、折込線Ｌ２２と折込線Ｌ２３との間隔に略等しい。ただし、間隔ｄ２１は、折込線Ｌ２２と折込線Ｌ２３との間隔よりも若干小さいことが好ましい。また、折込線Ｌ２１と折込線Ｌ２２との間隔は、折込線Ｌ２３と折込線Ｌ２４との間隔に略等しい。
【００２２】
組立時、折込線Ｌ２５に沿って略直角に山折りした状態で、爪部２４は、孔部２８ｃに挿入される。それにより、柱部材２０の四角柱形状が維持される。爪部２４における孔部２８ｃから突出する部分は、柱部材２０の内部に収容される（図２参照）。孔部２８ａには、後述する壁部材５０の爪部５４ｂが挿入される。また、孔部２８ｂには、後述する壁部材６０の爪部６５ａが挿入される。
【００２３】
図５は、柱部材３０を示す平面図である。柱部材３０は、１枚の段ボール又は厚紙からなる。柱部材３０は、柱部材１０と同様の構造をしている。すなわち、柱部材３０には、４本の折込線Ｌ３１〜Ｌ３４が形成されている。柱部材３０は、これらの折込線Ｌ３１〜Ｌ３４に沿って折り込まれることにより、四角柱状になるように構成されている。具体的には、各折込線Ｌ３１〜Ｌ３４に沿って略直角に山折りすることにより、四角柱状の柱部材３０が形成される（図１及び図２参照）。
【００２４】
さらに、柱部材３０には、爪部３４、並びに孔部３８ａ（第１の孔部）、孔部３８ｂ（第２の孔部）及び孔部３８ｃ（第３の孔部）が形成されている。爪部３４は、柱部材３０の外周から突き出るように形成されている。本実施形態においては、５つの爪部３４が設けられている。孔部３８ａ，３８ｂは、折込線Ｌ３２と折込線Ｌ３３との間に位置する。本実施形態においては、孔部３８ａ，３８ｂが５つずつ設けられている。孔部３８ｃは、折込線Ｌ３４に沿って形成されている。本実施形態においては、５つの孔部３８ｃが設けられている。また、柱部材３０の上端部から突き出るように、爪部３９が形成されている。詳細には、爪部３９は、折込線Ｌ３２と折込線Ｌ３３との間の領域の上端部に形成されている。
【００２５】
折込線Ｌ３１と柱部材３０の外周との間隔ｄ３１は、折込線Ｌ３２と折込線Ｌ３３との間隔に略等しい。ただし、間隔ｄ３１は、折込線Ｌ３２と折込線Ｌ３３との間隔よりも若干小さいことが好ましい。また、折込線Ｌ３１と折込線Ｌ３２との間隔は、折込線Ｌ３３と折込線Ｌ３４との間隔に略等しい。
【００２６】
組立時、折込線Ｌ３５に沿って略直角に山折りした状態で、爪部３４は、孔部３８ｃに挿入される。それにより、柱部材３０の四角柱形状が維持される。爪部３４における孔部３８ｃから突出する部分は、柱部材３０の内部に収容される（図２参照）。孔部３８ａには、後述する壁部材７０の爪部７４ａが挿入される。また、孔部３８ｂには、後述する壁部材６０の爪部６５ｂが挿入される。
【００２７】
図６は、柱部材４０を示す平面図である。柱部材４０は、１枚の段ボール又は厚紙からなる。柱部材４０は、柱部材２０と同様の構造をしている。すなわち、柱部材４０には、４本の折込線Ｌ４１〜Ｌ４４が形成されている。柱部材４０は、これらの折込線Ｌ４１〜Ｌ４４に沿って折り込まれることにより、四角柱状になるように構成されている。具体的には、各折込線Ｌ４１〜Ｌ４４に沿って略直角に山折りすることにより、四角柱状の柱部材４０が形成される（図１及び図２参照）。
【００２８】
さらに、柱部材４０には、爪部４４、並びに孔部４８ａ（第１の孔部）、孔部４８ｂ（第２の孔部）及び孔部４８ｃ（第３の孔部）が形成されている。爪部４４は、柱部材４０の外周から突き出るように形成されている。本実施形態においては、５つの爪部４４が設けられている。孔部４８ａ，４８ｂは、折込線Ｌ４２と折込線Ｌ４３との間に位置する。本実施形態においては、孔部４８ａ，４８ｂが５つずつ設けられている。孔部４８ｃは、折込線Ｌ４４に沿って形成されている。本実施形態においては、５つの孔部４８ｃが設けられている。また、柱部材４０の上端部から突き出るように、爪部４９が形成されている。詳細には、爪部４９は、折込線Ｌ４２と折込線Ｌ４３との間の領域の上端部に形成されている。
【００２９】
折込線Ｌ４１と柱部材４０の外周との間隔ｄ４１は、折込線Ｌ４２と折込線Ｌ４３との間隔に略等しい。ただし、間隔ｄ４１は、折込線Ｌ４２と折込線Ｌ４３との間隔よりも若干小さいことが好ましい。また、折込線Ｌ４１と折込線Ｌ４２との間隔は、折込線Ｌ４３と折込線Ｌ４４との間隔に略等しい。
【００３０】
組立時、折込線Ｌ４５に沿って略直角に山折りした状態で、爪部４４は、孔部４８ｃに挿入される。それにより、柱部材４０の四角柱形状が維持される。爪部４４における孔部４８ｃから突出する部分は、柱部材４０の内部に収容される（図２参照）。孔部４８ａには、後述する壁部材７０の爪部７４ｂが挿入される。また、孔部４８ｂには、後述する壁部材８０の爪部８５ａが挿入される。
【００３１】
図７は、壁部材５０を示す平面図である。壁部材５０は、１枚の段ボール又は厚紙からなる。壁部材５０は、扉５２を除いて、左右対称の構造をしている。壁部材５０の側端部５０ａには、爪部５４ａ（第１の爪部）が形成されている。本実施形態においては、５つの爪部５４ａが設けられている。組立時、爪部５４ａは、後述する壁部材８０の孔部８８ｂ及び柱部材１０の孔部１８ａに挿入される。それにより、壁部材５０は、柱部材１０に固定される。爪部５４ａにおける孔部１８ａから突出する部分は、柱部材１０の内部に収容される（図２参照）。
【００３２】
壁部材５０の側端部５０ｂには、爪部５４ｂ（第２の爪部）が形成されている。本実施形態においては、５つの爪部５４ｂが設けられている。組立時、爪部５４ｂは、後述する壁部材６０の孔部６８ａ及び柱部材２０の孔部２８ａに挿入される。それにより、壁部材５０は、柱部材２０に固定される。爪部５４ｂにおける孔部２８ａから突出する部分は、柱部材２０の内部に収容される（図２参照）。
【００３３】
壁部材５０の中央部には、折込線Ｌ５１及び切込線Ｃ５１が形成されている。切込線Ｃ５１に沿って切込みを入れることにより、扉５２が得られる。折込線Ｌ５１に沿って折り込むことにより、扉５２を開けて、空間Ｓ１（図１参照）に出入りすることができる。扉５２には、突部５２ａが設けられている。突部５２ａは、扉５２の把手として機能する。さらに、壁部材５０の上端部から突き出るように、爪部５９が形成されている。
【００３４】
図８は、壁部材６０を示す平面図である。壁部材６０は、１枚の段ボール又は厚紙からなり、左右対称の構造をしている。壁部材６０の側端部６０ａには、孔部６８ａが形成されている。本実施形態においては、５つの孔部６８ａが設けられている。組立時、孔部６８ａには、壁部材５０の爪部５４ｂが挿入される。孔部６８ａと壁部材６０の外周との間隔ｄ６１ａは、柱部材２０における孔部２８ａと折込線Ｌ２２との間隔ｄ２２（図４参照）に略等しい。さらに、側端部６０ａには、折込線Ｌ６１ａ及び切込線Ｃ６１ａが形成されている。折込線Ｌ６１ａと孔部６８ａとの間隔ｄ６２ａは、柱部材２０における孔部２８ａと孔部２８ｂとの間隔ｄ２３（図４参照）に略等しい。
【００３５】
壁部材６０の側端部６０ｂには、孔部６８ｂが形成されている。本実施形態においては、５つの孔部６８ｂが設けられている。組立時、孔部６８ｂには、後述する壁部材７０の爪部７４ａが挿入される。孔部６８ｂと壁部材６０の外周との間隔ｄ６１ｂは、柱部材３０における孔部３８ａと折込線Ｌ３２との間隔ｄ３２（図５参照）に略等しい。さらに、側端部６０ｂには、折込線Ｌ６１ｂ及び切込線Ｃ６１ｂが形成されている。折込線Ｌ６１ｂと孔部６８ｂとの間隔ｄ６２ｂは、柱部材３０における孔部３８ａと孔部３８ｂとの間隔ｄ３３（図５参照）に略等しい。
【００３６】
切込線Ｃ６１ａ，Ｃ６１ｂに沿って切込みを入れた状態で、折込線Ｌ６１ａ，Ｌ６１ｂに沿って略直角に谷折りすることにより、爪部６５ａ（第１の爪部）及び爪部６５ｂ（第２の爪部）が形成される。本実施形態においては、爪部６５ａ，６５ｂが５つずつ形成される。組立時、爪部６５ａは、柱部材２０の孔部２８ｂに挿入される。それにより、壁部材６０は、柱部材２０に固定される。爪部６５ａにおける孔部２８ｂから突出する部分は、柱部材２０の内部に収容される（図２参照）。また、爪部６５ｂは、柱部材３０の孔部３８ｂに挿入される。それにより、壁部材６０は、柱部材３０に固定される。爪部６５ｂにおける孔部３８ｂから突出する部分は、柱部材３０の内部に収容される（図２参照）。
【００３７】
壁部材６０の中央部には、折込線Ｌ６２ａ，Ｌ６２ｂ及び切込線Ｃ６２ａ，Ｃ６２ｂが形成されている。切込線Ｃ６２ａ，Ｃ６２ｂに沿って切込みを入れた状態で、折込線Ｌ６２ａ，Ｌ６２ｂに沿って略直角に谷折りすることにより、爪部６６ａ，６６ｂが形成される。組立時、爪部６６ａ，６６ｂは、それぞれ、後述する屋根部材９０の孔部９６ｂ，９６ｃに挿入される。
【００３８】
図９は、壁部材７０を示す平面図である。壁部材７０は、１枚の段ボール又は厚紙からなり、左右対称の構造をしている。壁部材７０の構造は、折込線Ｌ５１及び切込線Ｃ５１が形成されていない点を除いて、壁部材５０の構造と同様である。すなわち、壁部材７０の側端部７０ａには、爪部７４ａ（第１の爪部）が形成されている。本実施形態においては、５つの爪部７４ａが設けられている。組立時、爪部７４ａは、壁部材６０の孔部６８ｂ及び柱部材３０の孔部３８ａに挿入される。それにより、壁部材７０は、柱部材３０に固定される。爪部７４ａにおける孔部３８ａから突出する部分は、柱部材３０の内部に収容される（図２参照）。
【００３９】
壁部材７０の側端部７０ｂには、爪部７４ｂ（第２の爪部）が形成されている。本実施形態においては、５つの爪部７４ｂが設けられている。組立時、爪部７４ｂは、後述する壁部材８０の孔部８８ａ及び柱部材４０の孔部４８ａに挿入される。それにより、壁部材７０は、柱部材４０に固定される。爪部７４ｂにおける孔部４８ａから突出する部分は、柱部材４０の内部に収容される（図２参照）。さらに、壁部材７０の中央部には、壁部材７０の上端部から突き出るように、爪部７９が形成されている。
【００４０】
図１０は、壁部材８０を示す平面図である。壁部材８０は、１枚の段ボール又は厚紙からなり、左右対称の構造をしている。壁部材８０の構造は、壁部材６０の構造と同様である。すなわち、壁部材８０の側端部８０ａには、孔部８８ａが形成されている。本実施形態においては、５つの孔部８８ａが設けられている。組立時、孔部８８ａには、壁部材７０の爪部７４ｂが挿入される。孔部８８ａと壁部材８０の外周との間隔ｄ８１ａは、柱部材４０における孔部４８ａと折込線Ｌ４２との間隔ｄ４２（図６参照）に略等しい。さらに、側端部８０ａには、折込線Ｌ８１ａ及び切込線Ｃ８１ａが形成されている。折込線Ｌ８１ａと孔部８８ａとの間隔ｄ８２ａは、柱部材４０における孔部４８ａと孔部４８ｂとの間隔ｄ４３（図６参照）に略等しい。
【００４１】
壁部材８０の側端部８０ｂには、孔部８８ｂが形成されている。本実施形態においては、５つの孔部８８ｂが設けられている。組立時、孔部８８ｂには、壁部材５０の爪部５４ａが挿入される。孔部８８ｂと壁部材８０の外周との間隔ｄ８１ｂは、柱部材１０における孔部１８ａと折込線Ｌ１２との間隔ｄ１２（図３参照）に略等しい。さらに、側端部８０ｂには、折込線Ｌ８１ｂ及び切込線Ｃ８１ｂが形成されている。折込線Ｌ８１ｂと孔部８８ｂとの間隔ｄ８２ｂは、柱部材１０における孔部１８ａと孔部１８ｂとの間隔ｄ１３（図３参照）に略等しい。
【００４２】
切込線Ｃ８１ａ，Ｃ８１ｂに沿って切込みを入れた状態で、折込線Ｌ８１ａ，Ｌ８１ｂに沿って略直角に谷折りすることにより、爪部８５ａ（第１の爪部）及び爪部８５ｂ（第２の爪部）が形成される。本実施形態においては、爪部８５ａ，８５ｂが５つずつ形成される。組立時、爪部８５ａは、柱部材４０の孔部４８ｂに挿入される。それにより、壁部材８０は、柱部材４０に固定される。爪部８５ａにおける孔部４８ｂから突出する部分は、柱部材４０の内部に収容される（図２参照）。また、爪部８５ｂは、柱部材１０の孔部１８ｂに挿入される。それにより、壁部材８０は、柱部材１０に固定される。爪部８５ｂにおける孔部１８ｂから突出する部分は、柱部材１０の内部に収容される（図２参照）。
【００４３】
壁部材８０の中央部には、折込線Ｌ８２ａ，Ｌ８２ｂ及び切込線Ｃ８２ａ，Ｃ８２ｂが形成されている。切込線Ｃ８２ａ，Ｃ８２ｂに沿って切込みを入れた状態で、折込線Ｌ８２ａ，Ｌ８２ｂに沿って略直角に谷折りすることにより、爪部８６ａ，８６ｂが形成される。組立時、爪部８６ａ，８６ｂは、それぞれ、後述する屋根部材９０の孔部９６ｄ，９６ａに挿入される。
【００４４】
図１１及び図１２に示すように、組立式ハウス１は、空間Ｓ１を上方から覆う屋根部材９０を更に備えている。図１２は、図１１のXII−XII線に沿った断面図である。屋根部材９０は、側端部９０ａ（第１の側端部）が断面Ｊ字状になるように構成されている。側端部９０ａは、柱部材１０と柱部材４０との間に位置する。同様に、屋根部材９０は、側端部９０ｂ（第２の側端部）が断面Ｊ字状になるように構成されている。側端部９０ｂは、柱部材２０と柱部材３０との間に位置する。なお、上述した図１及び図２は、屋根部材９０が取り外された状態の組立式ハウス１を示している。
【００４５】
図１３は、屋根部材９０を示す平面図である。屋根部材９０は、１枚の段ボール又は厚紙からなり、左右対称の構造をしている。屋根部材９０の中央部には、折込線Ｌ９１ａ，Ｌ９１ｂが形成されている。折込線Ｌ９１ａと折込線Ｌ９１ｂとの間の領域には、孔部９９ａ，９９ｂが形成されている。組立時、孔部９９ａには、壁部材５０の爪部５９が挿入される。また、孔部９９ｂには、壁部材７０の爪部７９が挿入される。
【００４６】
屋根部材９０の側端部９０ａには、折込線Ｌ９２ａ，Ｌ９３ａ，Ｌ９４ａが形成されている。折込線Ｌ９１ａと折込線Ｌ９２ａとの間隔は、壁部材５０における斜辺の長さｄ５１ａ（図７参照）及び壁部材７０における斜辺の長さｄ７１ｂ（図９参照）に略等しい。折込線Ｌ９３ａと折込線Ｌ９４ａとの間隔は、柱部材１０における折込線Ｌ１３と折込線Ｌ１４との間隔（図３参照）及び柱部材４０における折込線Ｌ４３と折込線Ｌ４４との間隔（図６参照）に略等しい。折込線Ｌ９２ａ，Ｌ９３ａ，Ｌ９４ａの長さは、柱部材１０と柱部材４０との間隔に略等しい。
【００４７】
折込線Ｌ９２ａの延長線上には、折込線Ｌ９５ａ，Ｌ９５ｄが形成されている。折込線Ｌ９５ａ，Ｌ９５ｄに沿って、それぞれ孔部９８ａ，９８ｄが形成されている。組立時、孔部９８ａには、柱部材１０の爪部１９が挿入される。また、孔部９８ｄには、柱部材４０の爪部４９が挿入される。
【００４８】
折込線Ｌ９２ａと折込線Ｌ９３ａとの間の領域には、孔部９６ａ，９６ｄが形成されている。孔部９６ａには、壁部材８０の爪部８６ｂが挿入される。また、孔部９６ｄには、壁部材８０の爪部８６ａが挿入される。折込線Ｌ９２ａと孔部９６ａとの間隔ｄ９１ａは、壁部材８０における折込線Ｌ８２ｂと上端部との間隔ｄ８３ｂ（図１０参照）に略等しい。同様に、折込線Ｌ９２ａと孔部９６ｄとの間隔ｄ９１ｄは、壁部材８０における折込線Ｌ８２ａと上端部との間隔ｄ８３ａ（図１０参照）に略等しい。
【００４９】
折込線Ｌ９４ａと屋根部材９０の外周との間の領域には、折込線Ｌ９６ａ，Ｌ９６ｄが形成されている。切込線Ｃ９１ａ，Ｃ９１ｄに沿って切込みを入れた状態で、折込線Ｌ９１ａ，Ｌ９２ａに沿って山折りするとともに、折込線Ｌ９３ａ，Ｌ９４ａ，Ｌ９５ａ，Ｌ９５ｄに沿って谷折りすることにより、断面Ｊ字状の側端部９０ａが得られる。さらに、折込線Ｌ９６ａ，Ｌ９６ｄに沿って略直角に谷折りすることにより、爪部９４ａ，９４ｄが形成される。
【００５０】
組立時、爪部９４ａは、爪部１４と共に、柱部材１０の孔部１８ｃ（具体的には、５つの孔部１８ｃのうち最も高い位置にある孔部１８ｃ）に挿入される。また、爪部９４ｄは、爪部４４と共に、柱部材４０の孔部４８ｃ（具体的には、５つの孔部４８ｃのうち最も高い位置にある孔部４８ｃ）に挿入される。折込線Ｌ９２ａと折込線Ｌ９３ａとの間隔ｄ９２ａ、及び折込線Ｌ９４ａと屋根部材９０の外周との間隔ｄ９３ａについて、それらの差（ｄ９２ａ−ｄ９３ａ）は、柱部材１０における上記孔部１８ｃと上端部との間隔ｄ１４（図３参照）、及び柱部材４０における上記孔部４８ｃと上端部との間隔ｄ４４（図６参照）に略等しい。
【００５１】
屋根部材９０の側端部９０ｂには、折込線Ｌ９２ｂ，Ｌ９３ｂ，Ｌ９４ｂが形成されている。折込線Ｌ９１ｂと折込線Ｌ９２ｂとの間隔は、壁部材５０における斜辺の長さｄ５１ｂ（図７参照）及び壁部材７０における斜辺の長さｄ７１ａ（図９参照）に略等しい。折込線Ｌ９３ｂと折込線Ｌ９４ｂとの間隔は、柱部材２０における折込線Ｌ２３と折込線Ｌ２４との間隔（図４参照）及び柱部材３０における折込線Ｌ３３と折込線Ｌ３４との間隔（図５参照）に略等しい。折込線Ｌ９２ｂ，Ｌ９３ｂ，Ｌ９４ｂの長さは、柱部材２０と柱部材３０との間隔に略等しい。
【００５２】
折込線Ｌ９２ｂの延長線上には、折込線Ｌ９５ｂ，Ｌ９５ｃが形成されている。折込線Ｌ９５ｂ，Ｌ９５ｃに沿って、それぞれ孔部９８ｂ，９８ｃが形成されている。組立時、孔部９８ｂには、柱部材２０の爪部２９が挿入される。また、孔部９８ｃには、柱部材３０の爪部３９が挿入される。
【００５３】
折込線Ｌ９２ｂと折込線Ｌ９３ｂとの間の領域には、孔部９６ｂ，９６ｃが形成されている。孔部９６ｂには、壁部材６０の爪部６６ａが挿入される。また、孔部９６ｃには、壁部材６０の爪部６６ｂが挿入される。折込線Ｌ９２ｂと孔部９６ｂとの間隔ｄ９１ｂは、壁部材６０における折込線Ｌ６２ａと上端部との間隔ｄ６３ａ（図８参照）に略等しい。同様に、折込線Ｌ９２ｂと孔部９６ｃとの間隔ｄ９１ｃは、壁部材６０における折込線Ｌ６２ｂと上端部との間隔ｄ６３ｂ（図８参照）に略等しい。
【００５４】
折込線Ｌ９４ｂと屋根部材９０の外周との間の領域には、折込線Ｌ９６ｂ，Ｌ９６ｃが形成されている。切込線Ｃ９１ｂ，Ｃ９１ｃに沿って切込みを入れた状態で、折込線Ｌ９１ｂ，Ｌ９２ｂに沿って山折りするとともに、折込線Ｌ９３ｂ，Ｌ９４ｂ，Ｌ９５ｂ，Ｌ９５ｃに沿って谷折りすることにより、断面Ｊ字状の側端部９０ｂが得られる。さらに、折込線Ｌ９６ｂ，Ｌ９６ｃに沿って略直角に谷折りすることにより、爪部９４ｂ，９４ｃが形成される。
【００５５】
組立時、爪部９４ｂは、爪部２４と共に、柱部材２０の孔部２８ｃ（具体的には、５つの孔部２８ｃのうち最も高い位置にある孔部２８ｃ）に挿入される。また、爪部９４ｃは、爪部３４と共に、柱部材３０の孔部３８ｃ（具体的には、５つの孔部３８ｃのうち最も高い位置にある孔部３８ｃ）に挿入される。折込線Ｌ９２ｂと折込線Ｌ９３ｂとの間隔ｄ９２ｂ、及び折込線Ｌ９４ｂと屋根部材９０の外周との間隔ｄ９３ｂについて、それらの差（ｄ９２ｂ−ｄ９３ｂ）は、柱部材２０における上記孔部２８ｃと上端部との間隔ｄ２４（図４参照）、及び柱部材３０における上記孔部３８ｃと上端部との間隔ｄ３４（図５参照）に略等しい。
【００５６】
組立式ハウス１の効果を説明する。組立式ハウス１においては、壁部材６０の側端部６０ａを壁部材５０の側端部５０ｂに固定し、壁部材７０の側端部７０ａを壁部材６０の側端部６０ｂに固定し、壁部材８０の側端部８０ａを壁部材７０の側端部７０ｂに固定するとともに、壁部材８０の側端部８０ｂを壁部材５０の側端部５０ａに固定することにより、壁部材５０，６０，７０，８０によって囲まれた空間Ｓ１が生成される。組立式ハウス１によれば、このように四方が囲まれた空間Ｓ１が得られるため、充分なプライベート空間を確保することができる。これにより、組立式ハウス１のユーザのプライバシーを充分に保護することができる。
【００５７】
また、本実施形態においては、屋根部材９０により空間Ｓ１の上部も覆われる。これにより、組立式ハウス１のユーザのプライバシーをより厚く保護することができる。
【００５８】
さらに、柱部材１０を折込線Ｌ１１〜Ｌ１４に沿って折り込むことにより、四角柱状にすることができる。かかる柱部材１０は、支柱として機能し、組立後の組立式ハウス１の強度を高める。したがって、充分な強度を有する組立式ハウス１が実現されている。このように強度に優れた組立式ハウス１は、子供の遊戯スペースとして用いるのにも適している。
【００５９】
本実施形態においては、柱部材２０も、折込線Ｌ２１〜Ｌ２４に沿って折り込むことにより、四角柱状にすることができる。これにより、組立式ハウス１の強度が一層高められる。同様に、柱部材３０は折込線Ｌ３１〜Ｌ３４に沿って折り込むことにより、柱部材４０は折込線Ｌ４１〜Ｌ４４に沿って折り込むことにより、それぞれ四角柱状にすることができる。これらの柱部材３０，４０も、組立式ハウス１の強度の向上に資する。
【００６０】
柱部材１０は、爪部１４が孔部１８ｃに挿入されることにより、四角柱状を維持するように構成されている。これにより、簡易な構成で、組立後の柱部材１０の形状を維持することができる。ここで、爪部１４における孔部１８ｃから突出する部分は、柱部材１０の内部に収容される。このため、組立式ハウス１のユーザ等が爪部１４に引っ掛かるのを防ぐことができる。また、このように爪部１４を柱部材１０の内部に隠すことにより、組立式ハウス１の美観を高めることができる。
【００６１】
柱部材２０は、爪部２４が孔部２８ｃに挿入されることにより、四角柱状を維持するように構成されている。これにより、簡易な構成で、組立後の柱部材２０の形状を維持することができる。ここで、爪部２４における孔部２８ｃから突出する部分は、柱部材２０の内部に収容される。このため、組立式ハウス１のユーザ等が爪部２４に引っ掛かるのを防ぐことができる。また、このように爪部２４を柱部材２０の内部に隠すことにより、組立式ハウス１の美観を高めることができる。
【００６２】
柱部材３０は、爪部３４が孔部３８ｃに挿入されることにより、四角柱状を維持するように構成されている。これにより、簡易な構成で、組立後の柱部材３０の形状を維持することができる。ここで、爪部３４における孔部３８ｃから突出する部分は、柱部材３０の内部に収容される。このため、組立式ハウス１のユーザ等が爪部３４に引っ掛かるのを防ぐことができる。また、このように爪部３４を柱部材３０の内部に隠すことにより、組立式ハウス１の美観を高めることができる。
【００６３】
柱部材４０は、爪部４４が孔部４８ｃに挿入されることにより、四角柱状を維持するように構成されている。これにより、簡易な構成で、組立後の柱部材４０の形状を維持することができる。ここで、爪部４４における孔部４８ｃから突出する部分は、柱部材４０の内部に収容される。このため、組立式ハウス１のユーザ等が爪部４４に引っ掛かるのを防ぐことができる。また、このように爪部４４を柱部材４０の内部に隠すことにより、組立式ハウス１の美観を高めることができる。
【００６４】
壁部材５０は、爪部５４ａが柱部材１０の孔部１８ａに挿入されることにより、柱部材１０に固定される。これにより、簡易な構成で、壁部材５０と柱部材１０とを固定することができる。ここで、爪部５４ａにおける孔部１８ａから突出する部分は、柱部材１０の内部に収容される。このため、組立式ハウス１のユーザ等が爪部５４ａに引っ掛かるのを防ぐことができる。また、このように爪部５４ａを柱部材１０の内部に隠すことにより、組立式ハウス１の美観を高めることができる。
【００６５】
同様に、壁部材５０は、爪部５４ｂが柱部材２０の孔部２８ａに挿入されることにより、柱部材２０に固定される。これにより、簡易な構成で、壁部材５０と柱部材２０とを固定することができる。ここで、爪部５４ｂにおける孔部２８ａから突出する部分は、柱部材２０の内部に収容される。このため、組立式ハウス１のユーザ等が爪部５４ｂに引っ掛かるのを防ぐことができる。また、このように爪部５４ｂを柱部材２０の内部に隠すことにより、組立式ハウス１の美観を高めることができる。
【００６６】
壁部材７０は、爪部７４ａが柱部材３０の孔部３８ａに挿入されることにより、柱部材３０に固定される。これにより、簡易な構成で、壁部材７０と柱部材３０とを固定することができる。ここで、爪部７４ａにおける孔部３８ａから突出する部分は、柱部材３０の内部に収容される。このため、組立式ハウス１のユーザ等が爪部７４ａに引っ掛かるのを防ぐことができる。また、このように爪部７４ａを柱部材３０の内部に隠すことにより、組立式ハウス１の美観を高めることができる。
【００６７】
同様に、壁部材７０は、爪部７４ｂが柱部材４０の孔部４８ａに挿入されることにより、柱部材４０に固定される。これにより、簡易な構成で、壁部材７０と柱部材４０とを固定することができる。ここで、爪部７４ｂにおける孔部４８ａから突出する部分は、柱部材４０の内部に収容される。このため、組立式ハウス１のユーザ等が爪部７４ｂに引っ掛かるのを防ぐことができる。また、このように爪部７４ｂを柱部材４０の内部に隠すことにより、組立式ハウス１の美観を高めることができる。
【００６８】
壁部材６０は、爪部６５ａが柱部材２０の孔部２８ｂに挿入されることにより、柱部材２０に固定される。これにより、簡易な構成で、壁部材６０と柱部材２０とを固定することができる。ここで、爪部６５ａにおける孔部２８ｂから突出する部分は、柱部材２０の内部に収容される。このため、組立式ハウス１のユーザ等が爪部６５ａに引っ掛かるのを防ぐことができる。また、このように爪部６５ａを柱部材２０の内部に隠すことにより、組立式ハウス１の美観を高めることができる。
【００６９】
同様に、壁部材６０は、爪部６５ｂが柱部材３０の孔部３８ｂに挿入されることにより、柱部材３０に固定される。これにより、簡易な構成で、壁部材６０と柱部材３０とを固定することができる。ここで、爪部６５ｂにおける孔部３８ｂから突出する部分は、柱部材３０の内部に収容される。このため、組立式ハウス１のユーザ等が爪部６５ｂに引っ掛かるのを防ぐことができる。また、このように爪部６５ｂを柱部材３０の内部に隠すことにより、組立式ハウス１の美観を高めることができる。
【００７０】
壁部材８０は、爪部８５ａが柱部材４０の孔部４８ｂに挿入されることにより、柱部材４０に固定される。これにより、簡易な構成で、壁部材８０と柱部材４０とを固定することができる。ここで、爪部８５ａにおける孔部４８ｂから突出する部分は、柱部材４０の内部に収容される。このため、組立式ハウス１のユーザ等が爪部８５ａに引っ掛かるのを防ぐことができる。また、このように爪部８５ａを柱部材４０の内部に隠すことにより、組立式ハウス１の美観を高めることができる。
【００７１】
同様に、壁部材８０は、爪部８５ｂが柱部材１０の孔部１８ｂに挿入されることにより、柱部材１０に固定される。これにより、簡易な構成で、壁部材８０と柱部材１０とを固定することができる。ここで、爪部８５ｂにおける孔部１８ｂから突出する部分は、柱部材１０の内部に収容される。このため、組立式ハウス１のユーザ等が爪部８５ｂに引っ掛かるのを防ぐことができる。また、このように爪部８５ｂを柱部材１０の内部に隠すことにより、組立式ハウス１の美観を高めることができる。
【００７２】
屋根部材９０は、側端部９０ａ，９０ｂが断面Ｊ字状になるように構成されている。これにより、組立後の組立式ハウス１においては、当該側端部９０ａ，９０ｂを小物等の収納部として用いることができる。組立式ハウス１を子供の遊戯スペースとして用いる場合、側端部９０ａ，９０ｂには、例えば、組立式ハウス１への落書き用のペン等を収納しておくことができる。ただし、側端部９０ａ，９０ｂを断面Ｊ字状にすることは必須ではない。また、側端部９０ａ又は側端部９０ｂの何れか一方のみを断面Ｊ字状にしてもよい。
【００７３】
柱部材１０，２０，３０，４０、壁部材５０，６０，７０，８０、及び屋根部材９０は、段ボール又は厚紙からなる。このため、組立式ハウス１は、容易に廃棄することが可能である。また、段ボールや厚紙は比較的軽量であるため、組立の前後を通じて、組立式ハウス１の運搬・移動が容易となる。特に、これらの部材が段ボールからなる場合、消臭効果及び防音効果に優れた組立式ハウス１が実現される。
【００７４】
さらに、組立前、柱部材１０，２０，３０，４０、壁部材５０，６０，７０，８０、及び屋根部材９０は、１枚の平坦な段ボール又は厚紙からなる。このため、組立前の組立式ハウス１の保管に必要なスペースを節約することができる。
【００７５】
組立式ハウス１は、各部材を折込線に沿って折り込むとともに、切込線に沿って切り込むことにより、組み立てられるように構成されている。このため、組立てが容易かつ安全な組立式ハウス１が実現されている。他方で、組立てには、ある程度の空間認知能力が要求されるため、組立式ハウス１は、子供の知育玩具としても好適に用いることができる。
（第２実施形態）
【００７６】
図１４は、本発明による組立式ハウスの第２実施形態を示す斜視図である。また、図１５は、図１４の組立式ハウスを示す平面図である。組立式ハウス２は、柱部材１０（第１の柱部材）、柱部材２０（第２の柱部材）、柱部材３０（第３の柱部材）、柱部材４０（第４の柱部材）、柱部材２００（第５の柱部材）、柱部材４００（第６の柱部材）、壁部材５０（第１の壁部材）、壁部材６００（第２の壁部材）、壁部材７０（第３の壁部材）、及び壁部材８００（第４の壁部材）を備えている。
【００７７】
空間Ｓ２の大きさは、例えば、幅（壁部材６００と壁部材８００との間隔）が約０．９ｍ、奥行（壁部材５０と壁部材７０との間隔）が約２ｍ、高さが約１．２ｍ（壁部材６００，８００の高さ）〜約１．５ｍ（壁部材５０，７０の中央部の高さ）である。かかる組立式ハウス２は、例えば、避難所において、被災者が寝る際の囲いとして、あるいは、子供の遊戯スペースとして用いることができる。柱部材１０，２０，３０，４０の構造、及び壁部材５０，７０の構造は、組立式ハウス１について説明したとおりである。各柱部材２００，４００、及び各壁部材６００，８００は、段ボール又は厚紙からなる。
【００７８】
壁部材６００は、互いに連結可能な壁部材６１０（第１の副壁部材）及び壁部材６２０（第２の副壁部材）によって構成されている。壁部材６１０，６２０は、段ボール又は厚紙からなる。同様に、壁部材８００は、互いに連結可能な２枚の壁部材８１０（第３の副壁部材）及び壁部材８２０（第４の副壁部材）によって構成されている。壁部材８１０，８２０も、段ボール又は厚紙からなる。
【００７９】
図１６は、柱部材２００を示す平面図である。柱部材２００は、１枚の段ボール又は厚紙からなる。柱部材２００には、４本の折込線Ｌ２０１〜Ｌ２０４が形成されている。柱部材２００は、これらの折込線Ｌ２０１〜Ｌ２０４に沿って折り込まれることにより、四角柱状になるように構成されている。具体的には、各折込線Ｌ２０１〜Ｌ２０４に沿って略直角に山折りすることにより、四角柱状の柱部材２００が形成される（図１４及び図１５参照）。
【００８０】
さらに、柱部材２００には、爪部２０４、並びに孔部２０８ａ（第１の孔部）、孔部２０８ｂ（第２の孔部）及び孔部２０８ｃ（第３の孔部）が形成されている。爪部２０４は、柱部材２００の外周から突き出るように形成されている。本実施形態においては、５つの爪部２０４が形成されている。孔部２０８ａ，２０８ｂは、折込線Ｌ２０２と折込線Ｌ２０３との間に形成されている。本実施形態においては、孔部２０８ａ，２０８ｂが５つずつ形成されている。孔部２０８ｃは、折込線Ｌ２０４に沿って形成されている。本実施形態においては、５つの孔部２０８ｃが形成されている。また、柱部材２００の上端部から突き出るように、爪部２０９が形成されている。詳細には、爪部２０９は、折込線Ｌ２０２と折込線Ｌ２０３との間の領域の上端部に形成されている。
【００８１】
折込線Ｌ２０１と柱部材２００の外周との間隔ｄ２０１は、折込線Ｌ２０２と折込線Ｌ２０３との間隔に略等しい。ただし、間隔ｄ２０１は、折込線Ｌ２０２と折込線Ｌ２０３との間隔よりも若干小さいことが好ましい。また、折込線Ｌ２０１と折込線Ｌ２０２との間隔は、折込線Ｌ２０３と折込線Ｌ２０４との間隔に略等しい。
【００８２】
組立時、折込線Ｌ２０５に沿って略直角に山折りした状態で、爪部２０４は、孔部２０８ｃに挿入される。それにより、柱部材２００の四角柱形状が維持される。爪部２０４における孔部２０８ｃから突出する部分は、柱部材２００の内部に収容される（図１５参照）。孔部２０８ａには、後述する壁部材６１０の爪部６１５ｂ及び壁部材６２０の爪部６２４が挿入される。また、孔部２０８ｂには、壁部材６２０の爪部６２５ａが挿入される。
【００８３】
図１７は、柱部材４００を示す平面図である。柱部材４００は、１枚の段ボール又は厚紙からなる。柱部材４００は、柱部材２００と左右対称の構造をしている。すなわち、柱部材４００には、４本の折込線Ｌ４０１〜Ｌ４０４が形成されている。柱部材４００は、これらの折込線Ｌ４０１〜Ｌ４０４に沿って折り込まれることにより、四角柱状になるように構成されている。具体的には、各折込線Ｌ４０１〜Ｌ４０４に沿って略直角に山折りすることにより、四角柱状の柱部材４００が形成される（図１４及び図１５参照）。
【００８４】
さらに、柱部材４００には、爪部４０４、並びに孔部４０８ａ（第１の孔部）、孔部４０８ｂ（第２の孔部）及び孔部４０８ｃ（第３の孔部）が形成されている。爪部４０４は、柱部材４００の外周から突き出るように形成されている。本実施形態においては、５つの爪部４０４が設けられている。孔部４０８ａ，４０８ｂは、折込線Ｌ４０２と折込線Ｌ４０３との間に位置する。本実施形態においては、孔部４０８ａ，４０８ｂが５つずつ設けられている。孔部４０８ｃは、折込線Ｌ４０４に沿って形成されている。本実施形態においては、５つの孔部４０８ｃが設けられている。また、柱部材４００の上端部から突き出るように、爪部４０９が形成されている。詳細には、爪部４０９は、折込線Ｌ４０２と折込線Ｌ４０３との間の領域の上端部に形成されている。
【００８５】
折込線Ｌ４０１と柱部材４００の外周との間隔ｄ４０１は、折込線Ｌ４０２と折込線Ｌ４０３との間隔に略等しい。ただし、間隔ｄ４０１は、折込線Ｌ４０２と折込線Ｌ４０３との間隔よりも若干小さいことが好ましい。また、折込線Ｌ４０１と折込線Ｌ４０２との間隔は、折込線Ｌ４０３と折込線Ｌ４０４との間隔に略等しい。
【００８６】
組立時、折込線Ｌ４０５に沿って略直角に山折りした状態で、爪部４０４は、孔部４０８ｃに挿入される。それにより、柱部材４００の四角柱形状が維持される。爪部４０４における孔部４０８ｃから突出する部分は、柱部材４００の内部に収容される（図１５参照）。孔部４０８ａには、後述する壁部材８１０の爪部８１５ａ及び壁部材８２０の爪部８２４が挿入される。また、孔部４０８ｂには、壁部材８２０の爪部８２５ｂが挿入される。
【００８７】
図１８は、壁部材６１０を示す平面図である。壁部材６１０の構造は、壁部材６０の構造と同様である。すなわち、壁部材６１０の側端部６１０ａには、孔部６１８ａが形成されている。本実施形態においては、５つの孔部６１８ａが設けられている。組立時、孔部６１８ａには、壁部材５０の爪部５４ｂが挿入される。孔部６１８ａと壁部材６１０の外周との間隔ｄ６１１ａは、柱部材２０における孔部２８ａと折込線Ｌ２２との間隔ｄ２２（図４参照）に略等しい。さらに、側端部６１０ａには、折込線Ｌ６１１ａ及び切込線Ｃ６１１ａが形成されている。折込線Ｌ６１１ａと孔部６１８ａとの間隔ｄ６１２ａは、柱部材２０における孔部２８ａと孔部２８ｂとの間隔ｄ２３（図４参照）に略等しい。
【００８８】
壁部材６１０の側端部６１０ｂには、孔部６１８ｂが形成されている。本実施形態においては、５つの孔部６１８ｂが設けられている。組立時、孔部６１８ｂには、後述する壁部材６２０の爪部６２５ａが挿入される。孔部６１８ｂと壁部材６１０の外周との間隔ｄ６１１ｂは、柱部材３０における孔部３８ａと折込線Ｌ３２との間隔ｄ３２（図５参照）に略等しい。さらに、側端部６１０ｂには、折込線Ｌ６１１ｂ及び切込線Ｃ６１１ｂが形成されている。折込線Ｌ６１１ｂと孔部６１８ｂとの間隔ｄ６１２ｂは、柱部材２００における孔部２０８ａと孔部２０８ｂとの間隔ｄ２０３（図１６参照）、及び柱部材３０における孔部３８ａと孔部３８ｂとの間隔ｄ３３（図５参照）に略等しい。
【００８９】
切込線Ｃ６１１ａ，Ｃ６１１ｂに沿って切込みを入れた状態で、折込線Ｌ６１１ａ，Ｌ６１１ｂに沿って略直角に谷折りすることにより、爪部６１５ａ，６１５ｂが形成される。本実施形態においては、爪部６１５ａ，６１５ｂが５つずつ形成される。組立時、爪部６１５ａは、柱部材２０の孔部２８ｂに挿入される。それにより、壁部材６１０は、柱部材２０に固定される。爪部６１５ａにおける孔部２８ｂから突出する部分は、柱部材２０の内部に収容される（図１５参照）。また、爪部６１５ｂは、柱部材２００の孔部２０８ａに挿入される。それにより、壁部材６１０は、柱部材２００に固定される。爪部６１５ｂにおける孔部２０８ａから突出する部分は、柱部材２００の内部に収容される（図１５参照）。
【００９０】
壁部材６１０の中央部には、折込線Ｌ６１２ａ，Ｌ６１２ｂ及び切込線Ｃ６１２ａ，Ｃ６１２ｂが形成されている。切込線Ｃ６１２ａ，Ｃ６１２ｂに沿って切込みを入れた状態で、折込線Ｌ６１２ａ，Ｌ６１２ｂに沿って略直角に谷折りすることにより、爪部６１６ａ，６１６ｂが形成される。爪部６１６ａ，６１６ｂの構造は、壁部材６０における爪部６６ａ，６６ｂの構造と同様である。
【００９１】
図１９は、壁部材６２０を示す平面図である。壁部材６２０は、１枚の段ボール又は厚紙からなる。壁部材６２０の側端部６２０ａには、爪部６２４が形成されている。本実施形態においては、５つの爪部６２４が設けられている。組立時、折込線Ｌ６２２に沿って略直角に谷折りした状態で、爪部６２４は、壁部材６１０の開口部（爪部６１５ｂが形成される際に生じる開口部）を通じて、柱部材２００の孔部２０８ａに挿入される。それにより、壁部材６２０は、壁部材６１０に連結されるとともに、柱部材２００に固定される。爪部６２４における孔部２０８ａから突出する部分は、柱部材２００の内部に収容される（図１５参照）。
【００９２】
さらに、側端部６２０ａには、折込線Ｌ６２１ａ及び切込線Ｃ６２１ａが形成されている。折込線Ｌ６２１ａと壁部材６２０の外周との間隔ｄ６２１は、壁部材６１０における間隔ｄ６１２ｂ（図１８参照）、及び柱部材２００における間隔ｄ２０３（図１６参照）に略等しい。切込線Ｃ６２１ａに沿って切込みを入れた状態で、折込線Ｌ６２１ａに沿って略直角に谷折りすることにより、爪部６２５ａが形成される。本実施形態においては、５つの爪部６２５ａが形成される。組立時、爪部６２５ａは、壁部材６１０の孔部６１８ｂ及び柱部材２００の孔部２０８ｂに挿入される。それにより、壁部材６２０は、壁部材６１０に連結されるとともに、柱部材２００に固定される。爪部６２５ａにおける孔部２０８ｂから突出する部分は、柱部材２００の内部に収容される（図１５参照）。
【００９３】
壁部材６２０の側端部６２０ｂには、孔部６２８が形成されている。本実施形態においては、５つの孔部６２８が設けられている。組立時、孔部６２８には、壁部材７０の爪部７４ａが挿入される。孔部６２８と壁部材６２０の外周との間隔ｄ６２２は、柱部材３０における孔部３８ａと折込線Ｌ３２との間隔ｄ３２（図５参照）に略等しい。さらに、側端部６２０ｂには、折込線Ｌ６２１ｂ及び切込線Ｃ６２１ｂが形成されている。折込線Ｌ６２１ｂと孔部６２８との間隔ｄ６２３は、柱部材３０における孔部３８ａと孔部３８ｂとの間隔ｄ３３（図５参照）に略等しい。
【００９４】
切込線Ｃ６２１ｂに沿って切込みを入れた状態で、折込線Ｌ６２１ｂに沿って略直角に谷折りすることにより、爪部６２５ｂが形成される。本実施形態においては、５つの爪部６２５ｂが形成される。組立時、爪部６２５ｂは、柱部材３０の孔部３８ｂに挿入される。それにより、壁部材６２０は、柱部材３０に固定される。爪部６２５ｂにおける孔部３８ｂから突出する部分は、柱部材３０の内部に収容される（図１５参照）。
【００９５】
壁部材６２０の中央部には、折込線Ｌ６２３ａ，Ｌ６２３ｂ及び切込線Ｃ６２３ａ，Ｃ６２３ｂが形成されている。切込線Ｃ６２３ａ，Ｃ６２３ｂに沿って切込みを入れた状態で、折込線Ｌ６２３ａ，Ｌ６２３ｂに沿って略直角に谷折りすることにより、爪部６２６ａ，６２６ｂが形成される。爪部６２６ａ，６２６ｂの構造は、壁部材６０における爪部６６ａ，６６ｂの構造と同様である。
【００９６】
図２０は、壁部材８１０を示す平面図である。壁部材８１０の構造は、壁部材８０の構造と同様である。すなわち、壁部材８１０の側端部８１０ａには、孔部８１８ａが形成されている。本実施形態においては、５つの孔部８１８ａが設けられている。組立時、孔部８１８ａには、後述する壁部材８２０の爪部８２５ｂが挿入される。孔部８１８ａと壁部材８１０の外周との間隔ｄ８１１ａは、柱部材４０における孔部４８ａと折込線Ｌ４２との間隔ｄ４２（図６参照）に略等しい。さらに、側端部８１０ａには、折込線Ｌ８１１ａ及び切込線Ｃ８１１ａが形成されている。折込線Ｌ８１１ａと孔部８１８ａとの間隔ｄ８１２ａは、柱部材４００における孔部４０８ａと孔部４０８ｂとの間隔ｄ４０３（図１７参照）、及び柱部材４０における孔部４８ａと孔部４８ｂとの間隔ｄ４３（図６参照）に略等しい。
【００９７】
壁部材８１０の側端部８１０ｂには、孔部８１８ｂが形成されている。本実施形態においては、５つの孔部８１８ｂが設けられている。組立時、孔部８１８ｂには、壁部材５０の爪部５４ａが挿入される。孔部８１８ｂと壁部材８１０の外周との間隔ｄ８１１ｂは、柱部材１０における孔部１８ａと折込線Ｌ１２との間隔ｄ１２（図３参照）に略等しい。さらに、側端部８１０ｂには、折込線Ｌ８１１ｂ及び切込線Ｃ８１１ｂが形成されている。折込線Ｌ８１１ｂと孔部８１８ｂとの間隔ｄ８１２ｂは、柱部材１０における孔部１８ａと孔部１８ｂとの間隔ｄ１３（図３参照）に略等しい。
【００９８】
切込線Ｃ８１１ａ，Ｃ８１１ｂに沿って切込みを入れた状態で、折込線Ｌ８１１ａ，Ｌ８１１ｂに沿って略直角に谷折りすることにより、爪部８１５ａ，８１５ｂが形成される。本実施形態においては、爪部８１５ａ，８１５ｂが５つずつ形成される。組立時、爪部８１５ａは、柱部材４００の孔部４０８ａに挿入される。それにより、壁部材８１０は、柱部材４００に固定される。爪部８１５ａにおける孔部４０８ａから突出する部分は、柱部材４００の内部に収容される（図１５参照）。また、爪部８１５ｂは、柱部材１０の孔部１８ｂに挿入される。それにより、壁部材８１０は、柱部材１０に固定される。爪部８１５ｂにおける孔部１８ｂから突出する部分は、柱部材１０の内部に収容される（図１５参照）。
【００９９】
壁部材８１０の中央部には、折込線Ｌ８１２ａ，Ｌ８１２ｂ及び切込線Ｃ８１２ａ，Ｃ８１２ｂが形成されている。切込線Ｃ８１２ａ，Ｃ８１２ｂに沿って切込みを入れた状態で、折込線Ｌ８１２ａ，Ｌ８１２ｂに沿って略直角に谷折りすることにより、爪部８１６ａ，８１６ｂが形成される。爪部８１６ａ，８１６ｂの構造は、壁部材８０における爪部８６ａ，８６ｂの構造と同様である。
【０１００】
図２１は、壁部材８２０を示す平面図である。壁部材８２０は、１枚の段ボール又は厚紙からなる。壁部材８２０の側端部８２０ａには、孔部８２８が形成されている。本実施形態においては、５つの孔部８２８が設けられている。組立時、孔部８２８には、壁部材７０の爪部７４ｂが挿入される。孔部８２８と壁部材８２０の外周との間隔ｄ８２２は、柱部材４０における孔部４８ａと折込線Ｌ４２との間隔ｄ４２（図６参照）に略等しい。さらに、側端部８２０ａには、折込線Ｌ８２１ａ及び切込線Ｃ８２１ａが形成されている。折込線Ｌ８２１ａと孔部８２８との間隔ｄ８２３は、柱部材４０における孔部４８ａと孔部４８ｂとの間隔ｄ４３（図６参照）に略等しい。
【０１０１】
切込線Ｃ８２１ａに沿って切込みを入れた状態で、折込線Ｌ８２１ａに沿って略直角に谷折りすることにより、爪部８２５ａが形成される。本実施形態においては、５つの爪部８２５ａが形成される。組立時、爪部８２５ａは、柱部材４０の孔部４８ｂに挿入される。それにより、壁部材８２０は、柱部材４０に固定される。爪部８２５ａにおける孔部４８ｂから突出する部分は、柱部材４０の内部に収容される（図１５参照）。
【０１０２】
壁部材８２０の側端部８２０ｂには、爪部８２４が形成されている。本実施形態においては、５つの爪部８２４が設けられている。組立時、折込線Ｌ８２２に沿って略直角に谷折りした状態で、爪部８２４は、壁部材８１０の開口部（爪部８１５ａが形成される際に生じる開口部）を通じて、柱部材４００の孔部４０８ａに挿入される。それにより、壁部材８２０は、壁部材８１０に連結されるとともに、柱部材４００に固定される。爪部８２４における孔部４０８ａから突出する部分は、柱部材４００の内部に収容される（図１５参照）。
【０１０３】
さらに、側端部８２０ｂには、折込線Ｌ８２１ｂ及び切込線Ｃ８２１ｂが形成されている。折込線Ｌ８２１ｂと壁部材８２０の外周との間隔ｄ８２１は、壁部材８１０における間隔ｄ８１２ａ（図２０参照）、及び柱部材４００における間隔ｄ４０３（図１７参照）に略等しい。切込線Ｃ８２１ｂに沿って切込みを入れた状態で、折込線Ｌ８２１ｂに沿って略直角に谷折りすることにより、爪部８２５ｂが形成される。本実施形態においては、５つの爪部８２５ｂが形成される。組立時、爪部８２５ｂは、壁部材８１０の孔部８１８ａ及び柱部材４００の孔部４０８ｂに挿入される。それにより、壁部材８２０は、壁部材８１０に連結されるとともに、柱部材４００に固定される。爪部８２５ｂにおける孔部４０８ｂから突出する部分は、柱部材４００の内部に収容される（図１５参照）。
【０１０４】
壁部材８２０の中央部には、折込線Ｌ８２３ａ，Ｌ８２３ｂ及び切込線Ｃ８２３ａ，Ｃ８２３ｂが形成されている。切込線Ｃ８２３ａ，Ｃ８２３ｂに沿って切込みを入れた状態で、折込線Ｌ８２３ａ，Ｌ８２３ｂに沿って略直角に谷折りすることにより、爪部８２６ａ，８２６ｂが形成される。爪部８２６ａ，８２６ｂの構造は、壁部材８０における爪部８６ａ，８６ｂの構造と同様である。
【０１０５】
組立式ハウス２の効果を説明する。組立式ハウス２においては、壁部材６００が互いに連結可能な２枚の壁部材６１０，６２０によって構成されるとともに、壁部材８００が互いに連結可能な２枚の壁部材８１０，８２０によって構成されている。これにより、空間Ｓ２の奥行を大きくし、広いプライベート空間を確保することができる。
【０１０６】
また、組立式ハウス２においては、壁部材６２０，８２０を取り外したり、取り付けたりすることにより、空間Ｓ２の広さを変えることが可能である。壁部材６２０，８２０を取り外した場合は、壁部材６１０の爪部６１５ｂを柱部材３０の孔部３８ｂに挿入するとともに、孔部６１８ｂに壁部材７０の爪部７４ａを挿入すればよい。また、壁部材８１０の爪部８１５ａを柱部材４０の孔部４８ｂに挿入するとともに、孔部８１８ａに壁部材７０の爪部７４ｂを挿入すればよい。
【０１０７】
さらに、柱部材２００を折込線Ｌ２０１〜Ｌ２０４に沿って折り込むことにより、四角柱状にすることができる。かかる柱部材２００は、支柱として機能し、組立後の組立式ハウス２の強度を高める。また、柱部材４００を折込線Ｌ４０１〜Ｌ４０４に沿って折り込むことにより、四角柱状にすることができる。かかる柱部材４００も、支柱として機能し、組立後の組立式ハウス２の強度を高める。
【０１０８】
柱部材２００は、爪部２０４が孔部２０８ｃに挿入されることにより、四角柱状を維持するように構成されている。これにより、簡易な構成で、組立後の柱部材２００の形状を維持することができる。ここで、爪部２０４における孔部２０８ｃから突出する部分は、柱部材２００の内部に収容される。このため、組立式ハウス２のユーザ等が爪部２０４に引っ掛かるのを防ぐことができる。また、このように爪部２０４を柱部材２００の内部に隠すことにより、組立式ハウス２の美観を高めることができる。
【０１０９】
柱部材４００は、爪部４０４が孔部４０８ｃに挿入されることにより、四角柱状を維持するように構成されている。これにより、簡易な構成で、組立後の柱部材４００の形状を維持することができる。ここで、爪部４０４における孔部４０８ｃから突出する部分は、柱部材４００の内部に収容される。このため、組立式ハウス２のユーザ等が爪部４０４に引っ掛かるのを防ぐことができる。また、このように爪部４０４を柱部材４００の内部に隠すことにより、組立式ハウス２の美観を高めることができる。
【０１１０】
壁部材６１０は、爪部６１５ｂが柱部材２００の孔部２０８ａに挿入されることにより、柱部材２００に固定される。これにより、簡易な構成で、壁部材６１０と柱部材２００とを固定することができる。ここで、爪部６１５ｂにおける孔部２０８ａから突出する部分は、柱部材２００の内部に収容される。このため、組立式ハウス２のユーザ等が爪部６１５ｂに引っ掛かるのを防ぐことができる。また、このように爪部６１５ｂを柱部材２００の内部に隠すことにより、組立式ハウス２の美観を高めることができる。
【０１１１】
壁部材６２０は、爪部６２４，６２５ａがそれぞれ柱部材２００の孔部２０８ａ，２０８ｂに挿入されることにより、柱部材２００に固定される。これにより、簡易な構成で、壁部材６２０と柱部材２００とを固定することができる。ここで、爪部６２４，６２５ａにおける孔部２０８ａ，２０８ｂから突出する部分は、柱部材２００の内部に収容される。このため、組立式ハウス２のユーザ等が爪部６２４，６２５ａに引っ掛かるのを防ぐことができる。また、このように爪部６２４，６２５ａを柱部材２００の内部に隠すことにより、組立式ハウス２の美観を高めることができる。
【０１１２】
壁部材８１０は、爪部８１５ａが柱部材４００の孔部４０８ａに挿入されることにより、柱部材４００に固定される。これにより、簡易な構成で、壁部材８１０と柱部材４００とを固定することができる。ここで、爪部８１５ａにおける孔部４０８ａから突出する部分は、柱部材４００の内部に収容される。このため、組立式ハウス２のユーザ等が爪部８１５ａに引っ掛かるのを防ぐことができる。また、このように爪部８１５ａを柱部材４００の内部に隠すことにより、組立式ハウス２の美観を高めることができる。
【０１１３】
壁部材８２０は、爪部８２４，８２５ｂがそれぞれ柱部材４００の孔部４０８ａ，４０８ｂに挿入されることにより、柱部材４００に固定される。これにより、簡易な構成で、壁部材８２０と柱部材４００とを固定することができる。ここで、爪部８２４，８２５ｂにおける孔部４０８ａ，４０８ｂから突出する部分は、柱部材４００の内部に収容される。このため、組立式ハウス２のユーザ等が爪部８２４，８２５ｂに引っ掛かるのを防ぐことができる。また、このように爪部８２４，８２５ｂを柱部材４００の内部に隠すことにより、組立式ハウス２の美観を高めることができる。
【０１１４】
組立式ハウス２のその他の効果は、組立式ハウス１と同様である。なお、組立式ハウス２においても、組立式ハウス１と同様、空間Ｓ２を上方から覆う屋根部材を設けてもよい。
【０１１５】
本発明による組立式ハウスは、上記実施形態に限定されるものではなく、様々な変形が可能である。例えば、第１実施形態においては４本の支柱（柱部材１０，２０，３０，４０）が設けられた場合、第２実施形態においては６本の支柱（柱部材１０，２０，３０，４０，２００，４００）が設けられた場合を示した。しかし、支柱の本数は、１以上の任意の数とすることができる。
【０１１６】
上記実施形態においては、支柱が四角柱状である場合を例示した。しかし、支柱は、一般に、ｎ角柱（ｎは３以上の整数）とすることができる。上記実施形態は、ｎ＝４の場合である。
【０１１７】
上記実施形態においては、壁部材５０に扉（扉５２）が設けられた場合を例示した。しかし、扉は、壁部材５０以外の壁部材に設けてもよい。
【０１１８】
上記実施形態においては、部材どうしを固定する構造として、爪部を孔部に挿入する構造を例示した。かかる固定をより強固なものにするために、図２２に示すように、切込９０２ａの入ったストッパー部材９０２を用いてもよい。詳細には、爪部９０４にも切込９０４ａを入れておき、孔部９０６から突出した爪部９０４の切込９０４ａに対し、ストッパー部材９０２の切込９０２ａを係合させることにより、爪部９０４が孔部９０６から抜けるのを防ぐことができる。
【０１１９】
柱部材の構造は、上記実施形態に示したものに限られない。例えば、各柱部材１０，２０，３０，４０，２００，４００の代わりに、図２３及び図２４に示す柱部材１００を用いてもよい。柱部材１００は、１枚の段ボール又は厚紙からなり、左右対称の構造をしている。柱部材１００には、折込線Ｌ１０１ａ，Ｌ１０１ｂ、折込線Ｌ１０２ａ，Ｌ１０２ｂ、折込線Ｌ１０３ａ，Ｌ１０３ｂ、折込線Ｌ１０４ａ，Ｌ１０４ｂ，Ｌ１０４ｃ、折込線Ｌ１０５ａ，Ｌ１０５ｂ，Ｌ１０５ｃ，Ｌ１０５ｄ、及び折込線Ｌ１０６ａ，Ｌ１０６ｂ，Ｌ１０６ｃ，Ｌ１０６ｄが形成されている。また、柱部材１００には、切込線Ｃ１０１ａ，Ｃ１０１ｂ，Ｃ１０１ｃ，Ｃ１０１ｄ、及び切込線Ｃ１０２が形成されている。
【０１２０】
折込線Ｌ１０１ａと折込線Ｌ１０２ａとの間隔は、折込線Ｌ１０１ｂと折込線Ｌ１０２ｂとの間隔に略等しい。折込線Ｌ１０１ａと折込線Ｌ１０１ｂとの間隔は、折込線Ｌ１０２ａと折込線Ｌ１０３ａとの間隔、及び折込線Ｌ１０２ｂと折込線Ｌ１０３ｂとの間隔の和に略等しい。また、折込線Ｌ１０６ａ，Ｌ１０６ｂ，Ｌ１０６ｃ，Ｌ１０６ｄの長さは、折込線Ｌ１０１ａと折込線Ｌ１０２ａとの間隔（折込線Ｌ１０１ｂと折込線Ｌ１０２ｂとの間隔）に略等しい。
【０１２１】
上記各切込線に沿って切込みを入れた状態で、上記各折込線に沿って略直角に山折りすることにより、図２３に示した四角柱状の柱部材１００が得られる。切込線Ｃ１０２によって囲まれていた部分は、爪部１０９となる。爪部１０９の機能は、各爪部１９，２９，３９，４９，２０９，４０９と同様である。
【０１２２】
さらに、柱部材１００には、切込１０２ａ，１０２ｂ、爪部１０４ａ，１０４ｂ、及び孔部１０８ａ，１０８ｂが形成されている。切込１０２ａは、柱部材１００の上端部において、２本の折込線Ｌ１０５ａ，Ｌ１０５ｂを分断するように設けられている。また、切込１０２ｂは、柱部材１００の下端部において、２本の折込線Ｌ１０５ｃ，Ｌ１０５ｄを分断するように設けられている。
【０１２３】
爪部１０４ａ，１０４ｂは、柱部材１００の両側端部に設けられている。具体的には、折込線Ｌ１０３ａよりも外側の部分全体が爪部１０４ａであり、折込線Ｌ１０３ｂよりも外側の部分全体が爪部１０４ｂである。組立時、爪部１０４ａ，１０４ｂは、切込１０２ａ，１０２ｂに挿入される。それにより、柱部材１００の四角柱形状が維持される。爪部１０４ａ，１０４ｂにおける切込１０２ａ，１０２ｂから突出する部分は、柱部材１００の内部に収容される。
【０１２４】
孔部１０８ａ，１０８ｂは、折込線Ｌ１０１ａと折込線Ｌ１０１ｂとの間に位置する。本実施形態においては、孔部１０８ａ，１０８ｂが５つずつ設けられている。孔部１０８ａの機能は、孔部１８ａ，２８ｂ，３８ａ，４８ｂ，２０８ｂ，４０８ａと同様である。また、孔部１０８ｂの機能は、孔部１８ｂ，２８ａ，３８ｂ，４８ａ，２０８ａ，４０８ｂと同様である。
【０１２５】
また、本発明による組立式ハウスは、避難所におけるプライベート空間の確保や子供の遊戯スペース以外の用途にも適用できることは、言うまでもない。例えば、本発明による組立式ハウスは、路上生活者の居住スペースに用いてもよい。
【符号の説明】
【０１２６】
１  組立式ハウス
２  組立式ハウス
１０  柱部材（第１の柱部材）
１４  爪部
１８ａ  孔部（第１の孔部）
１８ｂ  孔部（第２の孔部）
１８ｃ  孔部（第３の孔部）
１９  爪部
２０  柱部材（第２の柱部材）
２４  爪部
２８ａ  孔部（第１の孔部）
２８ｂ  孔部（第２の孔部）
２８ｃ  孔部（第３の孔部）
２９  爪部
３０  柱部材（第３の柱部材）
３４  爪部
３８ａ  孔部（第１の孔部）
３８ｂ  孔部（第２の孔部）
３８ｃ  孔部（第３の孔部）
３９  爪部
４０  柱部材（第４の柱部材）
４４  爪部
４８ａ  孔部（第１の孔部）
４８ｂ  孔部（第２の孔部）
４８ｃ  孔部（第３の孔部）
４９  爪部
５０  壁部材（第１の壁部材）
５０ａ  側端部（第１の側端部）
５０ｂ  側端部（第２の側端部）
５２  扉
５４ａ  爪部（第１の爪部）
５４ｂ  爪部（第２の爪部）
５９  爪部
６０  壁部材（第２の壁部材）
６０ａ  側端部（第１の側端部）
６０ｂ  側端部（第２の側端部）
６５ａ  爪部（第１の爪部）
６５ｂ  爪部（第２の爪部）
６６ａ，６６ｂ  爪部
６８ａ，６８ｂ  孔部
７０  壁部材（第３の壁部材）
７０ａ  側端部（第１の側端部）
７０ｂ  側端部（第２の側端部）
７４ａ  爪部（第１の爪部）
７４ｂ  爪部（第２の爪部）
７９  爪部
８０  壁部材（第４の壁部材）
８０ａ  側端部（第１の側端部）
８０ｂ  側端部（第２の側端部）
８５ａ  爪部（第１の爪部）
８５ｂ  爪部（第２の爪部）
８６ａ，８６ｂ  爪部
８８ａ，８８ｂ  孔部
９０  屋根部材
９４ａ，９４ｂ，９４ｃ，９４ｄ  爪部
９６ａ，９６ｂ，９６ｃ，９６ｄ  孔部
９８ａ，９８ｂ，９８ｃ，９８ｄ  孔部
９９ａ，９９ｂ  孔部
１００  柱部材
１０２ａ，１０２ｂ  切込
１０４ａ，１０４ｂ  爪部
１０８ａ，１０８ｂ  孔部
１０９  爪部
２００  柱部材（第５の柱部材）
２０４  爪部
２０８ａ  孔部（第１の孔部）
２０８ｂ  孔部（第２の孔部）
２０８ｃ  孔部（第３の孔部）
２０９  爪部
４００  柱部材（第６の柱部材）
４０４  爪部
４０８ａ  孔部（第１の孔部）
４０８ｂ  孔部（第２の孔部）
４０８ｃ  孔部（第３の孔部）
４０９  爪部
６００  壁部材（第２の壁部材）
６１０  壁部材（第１の副壁部材）
６１０ａ，６１０ｂ  側端部
６１５ａ，６１５ｂ  爪部
６１６ａ，６１６ｂ  爪部
６１８ａ，６１８ｂ  孔部
６２０  壁部材（第２の副壁部材）
６２０ａ，６２０ｂ  側端部
６２４  爪部
６２５ａ，６２５ｂ  爪部
６２６ａ，６２６ｂ  爪部
６２８  孔部
８００  壁部材（第４の壁部材）
８１０  壁部材（第３の副壁部材）
８１０ａ，８１０ｂ  側端部
８１５ａ，８１５ｂ  爪部
８１６ａ，８１６ｂ  爪部
８１８ａ，８１８ｂ  孔部
８２０  壁部材（第４の副壁部材）
８２０ａ，８２０ｂ  側端部
８２４  爪部
８２５ａ，８２５ｂ  爪部
８２６ａ，８２６ｂ  爪部
８２８  孔部
９０２  ストッパー部材
９０２ａ  切込
９０４  爪部
９０４ａ  切込
９０６  孔部
【図１】
2015074960.tif 000003
【図２】
2015074960.tif 000004
【図３】
2015074960.tif 000005
【図４】
2015074960.tif 000006
【図５】
2015074960.tif 000007
【図６】
2015074960.tif 000008
【図７】
2015074960.tif 000009
【図８】
2015074960.tif 000010
【図９】
2015074960.tif 000011
【図１０】
2015074960.tif 000012
【図１１】
2015074960.tif 000013
【図１２】
2015074960.tif 000014
【図１３】
2015074960.tif 000015
【図１４】
2015074960.tif 000016
【図１５】
2015074960.tif 000017
【図１６】
2015074960.tif 000018
【図１７】
2015074960.tif 000019
【図１８】
2015074960.tif 000020
【図１９】
2015074960.tif 000021
【図２０】
2015074960.tif 000022
【図２１】
2015074960.tif 000023
【図２２】
2015074960.tif 000024
【図２３】
2015074960.tif 000025
【図２４】
2015074960.tif 000026